(57)【要約】  空気調和装置の室内機は、ケースと、ケースに収容された送風ファンと、送風ファンを囲うように設置され、冷媒と空気との熱交換を行う熱交換器ユニットとを備えている。熱交換器ユニットは、鉛直方向に延び、ケースの幅方向及び空気流れ方向に複数の冷媒流路を形成する複数の伝熱管と、複数の伝熱管の両端に接続され、複数の伝熱管との間で冷媒が流通する複数のヘッダと、を有している。複数のヘッダには、空気流れ方向の複数の伝熱管を分割して接続し、幅方向の複数の伝熱管を並列に接続する複数の分割ヘッダと、空気流れ方向の分割された冷媒流路同士を折り返して接続し、幅方向の複数の伝熱管を並列に接続するリターンヘッダとが含まれている。
2016071945.tif 000002
【特許請求の範囲】
【請求項１】
ケースと、前記ケースに収容された送風ファンと、前記送風ファンを囲うように設置され、冷媒と空気との熱交換を行う熱交換器ユニットとを備えた空気調和装置の室内機であって、
前記熱交換器ユニットは、
鉛直方向に延び、空気流れ方向及び前記ケースの幅方向に複数の冷媒流路を形成する複数の伝熱管と、
複数の前記伝熱管の両端に接続され、複数の前記伝熱管との間で冷媒が流通する複数のヘッダと、
を備え、
複数の前記ヘッダには、
空気流れ方向の複数の前記冷媒流路を分割して接続し、前記ケースの幅方向の複数の前記冷媒流路を並列に接続する複数の分割ヘッダと、
前記分割ヘッダにおいて空気流れ方向の分割された前記冷媒流路同士を折り返して接続し、前記ケースの幅方向の複数の前記伝熱管を並列に接続するリターンヘッダと
が含まれている空気調和装置の室内機。
【請求項２】
前記ケースは、前面ケースと背面ケースとを有するものであり、
前記熱交換器ユニットは、
前記ケースの幅方向及び空気流れ方向に配列された第１伝熱管を有し、前記前面ケース側に配置された第１熱交換器と、
前記ケースの幅方向及び空気流れ方向に配列された第２伝熱管を有し、前記背面ケース側に配置された第２熱交換器と
を備え、
前記第１熱交換器又は前記第２熱交換器の少なくともいずれか一方は、前記リターンヘッダを有する請求項１に記載の空気調和装置の室内機。
【請求項３】
前記第１熱交換器は、前記第１伝熱管の下端に接続された前記分割ヘッダからなる第１下部ヘッダと、前記第１伝熱管の上端に接続された前記分割ヘッダからなる第１上部ヘッダとを有し、
前記第２熱交換器は、前記第２伝熱管の下端に接続された前記リターンヘッダからなる第２下部ヘッダと、前記第１伝熱管の上端に接続された前記分割ヘッダからなる第２上部ヘッダとを有し、
前記第１熱交換器及び前記第２熱交換器は、連続した冷媒流路を形成するように接続されている請求項２に記載の空気調和装置の室内機。
【請求項４】
前記第１熱交換器の第１上部ヘッダと前記第２熱交換器の第２上部ヘッダとは、一体的に形成された接続ヘッダからなる請求項３に記載の空気調和装置の室内機。
【請求項５】
前記第１熱交換器は、前記第１伝熱管の下端に接続された前記分割ヘッダからなる第１下部ヘッダと、前記第１伝熱管の上端に接続された前記分割ヘッダからなる第１上部ヘッダとを有し、
前記第２熱交換器は、前記第２伝熱管の下端に接続された前記分割ヘッダからなる第２下部ヘッダと、前記第１伝熱管の上端に接続された前記リターンヘッダからなる第２上部ヘッダとを有し、
前記第１熱交換器及び前記第２熱交換器は、連続した冷媒流路を形成するように接続されている請求項２に記載の空気調和装置の室内機。
【請求項６】
複数の前記第１伝熱管は、前記前面ケース側に凸形状になるように曲線状に形成されている請求項２〜５のいずれか１項に記載の空気調和装置の室内機。
【請求項７】
前記第１伝熱管は、前記第１下部ヘッダに接続されており直線状に形成された下部伝熱管と、前記第１上部ヘッダに接続されており直線状に形成された上部伝熱管とを有し、
前記第１熱交換器は、前記下部伝熱管と前記上部伝熱管を接続する中間ヘッダを備え、
前記下部伝熱管と前記上部伝熱管とは、前記中間ヘッダにおいて前記前面ケース側に凸形状になるように屈曲して接続されている請求項３〜６のいずれか１項に記載の空気調和装置の室内機。
【発明の詳細な説明】
【技術分野】
【０００１】
本発明は、伝熱管が鉛直方向に延びる熱交換器を備えた空気調和装置の室内機に関するものである。
【背景技術】
【０００２】
従来から室内機の熱交換器としていわゆるパラレルフロー型の熱交換器が搭載された室内機が知られている（例えば特許文献１参照）。特許文献１には、鉛直方向に延びる複数の伝熱管とフィンとが交互に積層され、伝熱管の両端に水平方向に延びる液側ヘッダ及びガス側ヘッダが接続された熱交換器を有する室内機が開示されている。そして、冷房運転時において、冷媒は液側ヘッダにおいて複数の伝熱管へ分配され、複数の伝熱管からガス側ヘッダへ流入する。一方、暖房運転時において、冷媒はガス側ヘッダにおいて複数の伝熱管へ分配され、複数の伝熱管から液側ヘッダへ流入するようになっている。
【先行技術文献】
【特許文献】
【０００３】
【特許文献１】特開２００８−２５６３０５号公報（図８、図９）
【発明の概要】
【発明が解決しようとする課題】
【０００４】
このように、特許文献１の熱交換器においては、ヘッダが水平方向に延びており、冷媒が重力の影響による複数の伝熱管への分配が不均等になるのを抑制する構造になっている。しかしながら、冷媒が一方のヘッダから流入し、複数の伝熱管を通って他方のヘッダから流出する冷媒流路になっているため、熱交換器の伝熱面積の拡大を図ることができず空調性能を向上させることが難しい。【０００５】
本発明は、上記のような課題を解決するためになされたもので、伝熱面積を拡大して空調性能を向上させることができる空気調和装置の室内機を提供することを目的とする。
【課題を解決するための手段】
【０００６】
本発明の空気調和装置の室内機は、ケースと、ケースに収容された送風ファンと、送風ファンを囲うように設置され、冷媒と空気との熱交換を行う熱交換器ユニットとを備えた空気調和装置の室内機であって、熱交換器ユニットは、鉛直方向に延び、空気流れ方向及びケースの幅方向に複数の冷媒流路を形成する複数の伝熱管と、複数の伝熱管の両端に接続され、複数の伝熱管との間で冷媒が流通する複数のヘッダと、を備え、複数のヘッダには、空気流れ方向の複数の冷媒流路を分割して接続し、ケースの幅方向の複数の冷媒流路を並列に接続する複数の分割ヘッダと、分割ヘッダにおいて空気流れ方向の分割された冷媒流路同士を折り返して接続し、ケースの幅方向の複数の伝熱管を並列に接続するリターンヘッダとが含まれているものである。
【発明の効果】
【０００７】
本発明の空気調和装置の室内機によれば、ケースの空気流れ方向に複数の伝熱管が配列され、分割ヘッダ及びリターンヘッダを用いて空気流れ方向に熱交換器ユニット内に異なる冷媒流路を形成することにより、鉛直方向に延びる伝熱管を用いた場合であっても熱交換器ユニットの伝熱面積を拡大させ空調能力の向上を図ることができる。
【図面の簡単な説明】
【０００８】
【図１】本発明の空気調和装置の室内機の実施形態１を示す斜視図である。
【図２】本発明の空気調和装置の室内機の実施形態１を示す断面図である。
【図３】図２の空気調和装置の室内機における第１熱交換器の一例を示す模式図である。
【図４】図２の空気調和装置の室内機における第２熱交換器の一例を示す模式図である。
【図５】本発明の空気調和装置の室内機の実施形態１の変形例を示す断面図である。
【図６】本発明の空気調和装置の室内機の実施形態２を示す断面図である。
【図７】本発明の空気調和装置の室内機の実施形態３を示す断面図である。
【図８】本発明の空気調和装置の室内機の変形例を示す断面図である。
【発明を実施するための形態】
【０００９】
実施形態１．
以下、図面を参照しながら本発明の空気調和装置の室内機の好ましい実施形態について説明する。図１は本発明の空気調和装置の室内機の実施形態１を示す斜視図、図２は本発明の空気調和装置の室内機の実施形態１を示す断面図である。図１及び図２の室内機１は、例えば室内の壁に設置される壁掛け型の室内機であって、ケース２と、ケース２内に収容された送風ファン３と、ケース２内に収容され送風ファン３により送風される熱交換器ユニット１０とを有している。
【００１０】
ケース２は、例えば樹脂等の材料からなる背面ケース２ａ及び前面ケース２ｂを有しており、背面ケース２ａは壁等に固定され、前面ケース２ｂは背面ケース２ａに取り付けられている。また、背面ケース２ａには送風ファン３及び熱交換器ユニット１０が装着されている。背面ケース２ａは、送風ファン３に対向する位置に吸引した空気を流通させるための風路を形成する風路壁２ｗを有しており、風路壁２ｗは例えば円弧形状に傾斜した形状を有している。
【００１１】
前面ケース２ｂには、上面に空気の吸込口２ｘが形成されているとともに、熱交換器ユニット１０において熱交換された調和空気を吹き出す吹出口２ｚが形成されている。この吹出口２ｚには上下風向調整板（フラップ）が回動可能に配置されており、上下風向調整板は吹出口２ｚから吹き出される調和空気の風向きを調整する。
【００１２】
送風ファン３は、例えばクロスフローファンまたは貫流ファン等のラインフローファンからなり、吸込口２ｘから吹出口２ｚまでの風路のうち、熱交換器ユニット１０の下流側であって吹出口の上流側に設けられている。そして、送風ファン３は、吸込口２ｘから室内空気を吸い込み、吹出口２ｚから空調空気を吹き出す。送風ファン３の一端側は、背面ケース２ａにベアリング等を介して回転可能に支持されており、モータに接続されている。
【００１３】
熱交換器ユニット１０は、冷房運転時には蒸発器として機能して空気を冷却し、暖房運転時には凝縮器として機能して空気を加温するものであって、送風ファン３の上流側であって、送風ファン３の前面及び上面を取り囲むような形状になっている。熱交換器ユニット１０は、前面ケース２ｂ側であって送風ファン３の前方側に位置する第１熱交換器２０と、背面ケース２ａ側であって送風ファン３の後方側に傾斜した第２熱交換器３０とを有している。
【００１４】
図３は図２の空気調和装置の室内機における第１熱交換器の一例を示す模式図である。図２及び図３に示すように、第１熱交換器２０は、ケース２の幅方向（矢印Ｘ方向）及び空気流れ方向にそれぞれ配列された複数の第１伝熱管２１と、複数の第１伝熱管２１の下端に接続された第１下部ヘッダ２２と、複数の第１伝熱管２１の上端に接続された第１上部ヘッダ２３とを有している。第１伝熱管２１は、例えば空気流れ方向（熱交換器ユニット１０の厚み方向）に複数の冷媒流路を有する扁平管がケース２の幅方向（矢印Ｘ方向）に複数配列された構造を有している。あるいは、第１伝熱管２１は１つの冷媒流路を有する管からなっており空気流れ方向に複数配列されたものであってもよい。
【００１５】
この複数の第１伝熱管２１は、鉛直方向（矢印Ｚ方向）に延びるように配置されている。特に、複数の第１伝熱管２１は、前面ケース２ｂ側に向かって凸形状になるように曲線状に形成されており、直線形状に形成される場合に比べて実装面積を向上させた形状を有している。また、第１熱交換器２０は、ケース２の幅方向（矢印Ｘ方向）に配列された複数の第１伝熱管２１の間に配置された第１放熱フィン２４を有し、第１放熱フィン２４は第１伝熱管２１を流通する冷媒と空気との間で熱交換を行うようになっている。
【００１６】
第２熱交換器３０は、図３に示す第１熱交換器２０と同様の構造を有するものであって、ケース２の幅方向（矢印Ｘ方向）及び空気流れ方向にそれぞれ配列された複数の第２伝熱管３１と、複数の第２伝熱管３１の下端に接続された第２下部ヘッダ３２と、複数の第２伝熱管３１の上端に接続された第２上部ヘッダ３３とを有している。第２伝熱管３１は、例えば空気流れ方向（熱交換器ユニット１０の厚み方向）に複数の冷媒流路を有する扁平管がケース２の幅方向（矢印Ｘ方向）に複数配列された構造を有している。あるいは、第２伝熱管３１は１つの冷媒流路を有する管からなっており空気流れ方向に複数配列されたものであってもよい。第２伝熱管３１は、鉛直方向（矢印Ｚ方向）に延びるように直線状に形成されている。また、第２熱交換器３０は、ケース２の幅方向（矢印Ｘ方向）に配列された複数の第２伝熱管３１の間に配置された第２放熱フィン３４を有し、第２放熱フィン３４は第２伝熱管３１を流通する冷媒と空気との間で熱交換を行うようになっている。
【００１７】
なお、図２において、第１上部ヘッダ２３、第１下部ヘッダ２２、第２上部ヘッダ３３及び第２下部ヘッダ３２はそれぞれ断面略矩形状である場合について例示しているが、この形状に限られず、例えば断面円形状等に形成したものであってもよい。また、第１熱交換器２０及び第２熱交換器３０は、第１伝熱管２１及び第２伝熱管３１が鉛直方向（矢印Ｚ方向）に延びて形成されているものであれば、図３のようなフィン構造を有する場合に限定されない。例えば第１熱交換器２０及び第２熱交換器３０は、伝熱管（扁平管）自体がフィンとして機能し、冷媒流路を流れる冷媒と空気との間で熱交換が行われるものであってもよい。
【００１８】
このように、熱交換器ユニット１０には、第１上部ヘッダ２３、第１下部ヘッダ２２、第２上部ヘッダ３３及び第２下部ヘッダ３２という複数のヘッダが設けられている。ここで、第１熱交換器２０の第１上部ヘッダ２３及び第１下部ヘッダ２２は、空気流れ方向に配列された複数の第１伝熱管２１を分割して接続する複数の分割ヘッダになっている。一方、第２熱交換器３０において、第２上部ヘッダ３３は分割ヘッダになっており、第２下部ヘッダ３２は空気流れ方向に冷媒流路を折り返すリターンヘッダになっている。このように、熱交換器ユニット１０は、第１熱交換器２０又は第２熱交換器３０の少なくとも一方に、分割ヘッダとリターンヘッダとが設けられた状態になっている。
【００１９】
具体的には、第１熱交換器２０の第１下部ヘッダ２２は、厚み方向の複数の第１伝熱管２１を異なる冷媒流路に分割する第１下部分割ヘッダ２２ａ、２２ｂを備え、第１上部ヘッダ２３は、空気流れ方向の複数の冷媒流路を分割する第１上部分割ヘッダ２３ａ、２３ｂを備えている。第１下部分割ヘッダ２２ａと第１上部分割ヘッダ２３ａとは、空気流れ方向に配列された複数の冷媒流路のうち、前面側の１本もしくは複数本の冷媒流路に接続されている。第１下部分割ヘッダ２２ｂと第１上部分割ヘッダ２３ｂとは背面側の１本もしくは複数本の冷媒流路に接続されている。これにより、第１熱交換器２０は空気流れ方向において２つの大きな冷媒流路が形成された状態になる。
【００２０】
一方、図４は、図２の空気調和装置の室内機における第２熱交換器の一例を示す模式図である。図２及び図４の第２熱交換器３０において、第２上部ヘッダ３３は、空気流れ方向の複数の冷媒流路を分割する第２上部分割ヘッダ３３ａ、３３ｂを備えている。一方、第２下部ヘッダ３２はリターンヘッダになっており、空気流れ方向に配列された複数の冷媒流路３１ａ、３１ｂ同士を接続して折り返した冷媒流路を形成する。第２上部分割ヘッダ３３ａ、３３ｂはそれぞれ第１熱交換器２０の第１上部分割ヘッダ２３ａ、２３ｂに接続されており、第１熱交換器２０と第２熱交換器３０との間で連続して冷媒が流れるようになっている。この際、第１熱交換器２０及び第２熱交換器３０内には、対向流になる冷媒流路が形成されるようになっている。
【００２１】
例えば第１熱交換器２０の第１下部分割ヘッダ２２ａから流入した冷媒は、第１伝熱管２１における前面側の冷媒流路を通って前面側の第１上部分割ヘッダ２３ａに流入する。その後、第１上部分割ヘッダ２３ａの冷媒は、第２熱交換器３０の第２上部ヘッダ３３へ流れ、背面側の第２上部ヘッダ３３から複数の第２伝熱管３１における背面側の冷媒流路を通り、第２下部ヘッダ３２に流入する。冷媒は第２下部ヘッダ３２において折り返されて第２熱交換器３０における第２伝熱管３１の前面側の冷媒流路内を流通し、第２上部分割ヘッダ３３ｂに流入する。第２上部分割ヘッダ３３ｂ内の冷媒は、背面側（送風ファン側）の第１上部分割ヘッダ２３ｂに流入し、第１伝熱管２１の背面側の冷媒流路を通って第１下部分割ヘッダ２２ｂへ流入し、熱交換器ユニット１０から流出する。
【００２２】
上記実施形態１によれば、熱交換器ユニット１０の第１熱交換器２０と第２熱交換器３０とがいわゆるパラレルフロー型の熱交換器であるため、重力の影響を受けることなく冷媒を複数の第１伝熱管２１及び第２伝熱管に均等に分配することができる。このため、冷媒が熱交換器の一部の領域に偏って流れるによる熱交換効率の低下を抑制することができる。この際、熱交換器ユニット１０が分割ヘッダとリターンヘッダを有することにより、冷媒流れ方向において対向流になる複数の冷媒流路が形成されることになるため、伝熱面積を拡大し空調性能の向上を図ることができる。また、複数の第１伝熱管２１が、曲線状に形成されていることによりケース２内における実装面積が拡大するため、空調性能の向上を図ることができる。
【００２３】
特に、第１熱交換器２０及び第２熱交換器３０内には、対向流になる複数の冷媒流路が形成されるような流路になっている場合、熱交換器ユニット１０の上側部分と下側部分とを通過した空気の温度差の発生を抑制することができる。
【００２４】
なお、上記実施形態１において、第２熱交換器３０側にリターンヘッダが設けられており、第１熱交換器２０及び第２熱交換器３０に連続的に冷媒が流れる場合について例示しているが、冷媒の流れはこの場合に限られず、例えば第１熱交換器２０及び第２熱交換器３０のそれぞれに冷媒が流れるようにしてもよい。図５は本発明の空気調和装置の室内機の実施形態１の変形例を示す断面図である。図５に示すように、第１熱交換器２０の第１下部ヘッダ２２はリターンヘッダからなっていてもよい。
【００２５】
そして、第１熱交換器２０の第１上部ヘッダ２３及び第２熱交換器３０の第２上部ヘッダ３３からそれぞれ冷媒が流入され、第１伝熱管２１及び第２伝熱管３１を通り、第１下部ヘッダ２２及び第２下部ヘッダ３２に流入する。その後、冷媒は第１下部ヘッダ２２及び第２下部ヘッダ３２において折り返され、第１伝熱管２１及び第２伝熱管３１を通り、第１上部ヘッダ２３及び第２上部ヘッダ３３から室外機へ流出するようにしてもよい。この場合であっても、熱交換器ユニット１０にリターンヘッダが設けられていることにより、伝熱面積を拡大し空調能力の向上を図ることができる。
【００２６】
実施形態２．
図６は本発明の空気調和装置の室内機の実施形態２を示す断面図であり、図６を参照して空気調和装置の室内機１００について説明する。なお、図６の空気調和装置の室内機１００において図２の空気調和装置の室内機１と同一の構成を有する部位には同一の符号を付してその説明を省略する。図６の空気調和装置の室内機１００が図２の空気調和装置の室内機と異なる点は、第１熱交換器１２０の構成である。
【００２７】
図６の第１熱交換器１２０は、第１下部ヘッダ２２及び第１上部ヘッダ２３に加えて、第１下部ヘッダ２２に接続された下部伝熱管１２１ａと、第１上部ヘッダ２３に接続された上部伝熱管１２１ｂと、下部伝熱管１２１ａの上端と上部伝熱管１２１ｂの下端とを接続する中間ヘッダ１２１ｃとを備えている。下部伝熱管１２１ａと上部伝熱管１２１ｂとは、それぞれ直線状に形成されているとともに、中間ヘッダ１２１ｃにおいて屈曲して接続されている。中間ヘッダ１２１ｃの内部において、下部伝熱管１２１ａ及び上部伝熱管１２１ｂの前面ケース２ｂ側の下部伝熱管１２１ａ及び上部伝熱管１２１ｂと背面ケース２ａ側の下部伝熱管１２１ａ及び上部伝熱管１２１ｂとはそれぞれ異なる冷媒流路になるように区切られており、上述した図２と同様の冷媒流路が形成されている。
【００２８】
実施形態２によれば、直線状に形成された下部伝熱管１２１ａ及び上部伝熱管１２１ｂを有し、下部伝熱管１２１ａと上部伝熱管１２１ｂとは、中間ヘッダ１２１ｃにおいて屈曲するように接続されていることにより、実施形態１のように曲面状に形成した場合と同様に、第１熱交換器１２０の実装面積を向上させて空調性能の向上を図ることができる。また、実施形態２においても第２熱交換器３０側にリターンヘッダが設けられているため、空調性能の向上を図ることができる。
【００２９】
なお、図６のような第１熱交換器１２０の場合であっても、図５に示すように第１下部ヘッダ２２がリターンヘッダからなるように構成してもよい。さらには、中間ヘッダ１２１ｃにおいて室外機と冷媒の流出入が行われるようにしてもよい。この場合、中間ヘッダ１２１ｃにおいて冷媒が下部伝熱管１２１ａと上部伝熱管１２１ｂとに分配される構造になっているとともに、第１下部ヘッダ２２がリターンヘッダになっていてもよい。
【００３０】
実施形態３．
図７は本発明の空気調和装置の室内機の実施形態３を示す断面図であり、図７を参照して空気調和装置の室内機２００について説明する。なお、図７の空気調和装置の室内機２００において図２の空気調和装置の室内機１と同一の構成を有する部位には同一の符号を付してその説明を省略する。図７の空気調和装置の室内機２００が図２の空気調和装置の室内機と異なる点は、第１熱交換器２２０の第１上部ヘッダと第２熱交換器２３０の第２上部ヘッダとは、一体的に形成された接続ヘッダ２４０からなっている点である。
【００３１】
接続ヘッダ２４０は例えば断面略三角形状を有しており、接続ヘッダ２４０の内部には、例えば第１熱交換器２２０の前面側の第１伝熱管２１と第２熱交換器２３０の背面側の第２伝熱管３１とが接続されるような冷媒流路が形成されており、図２と同一の冷媒流路が形成されるようになっている。特に、接続ヘッダ２４０の角部には、空気抵抗を低減するための切欠部２４０ａが形成されている。
【００３２】
実施形態３によれば、第１熱交換器２２０の第１上部ヘッダと第２熱交換器２３０の第２上部ヘッダとが接続ヘッダ２４０により一体的に形成されているため、部品点数を少なくし熱交換器ユニット２１０の構造を簡略化することができる。また、実施形態２においても第２熱交換器３０側にリターンヘッダが設けられているため、空調性能の向上を図ることができる。なお、実施形態３のような場合であっても、接続ヘッダ２４０から冷媒が流入されるように構成し、図５に示すような冷媒流路が形成されていてもよい。
【００３３】
本発明の実施形態は、上記実施形態に限定されない。例えば、上記各実施形態１−３において、熱交換器ユニット１０、１１０、２１０は第１熱交換器２０、１２０、２２０及び第２熱交換器３０、２３０の２つの熱交換器を有する場合について例示しているが、３つもしくは３つ以上の熱交換器を有していてもよい。この場合であっても、伝熱管が鉛直方向に延びて配置され、分配ヘッダが水平方向に延びるように配置されることにより、冷媒の分配特性を向上させることができる。
【００３４】
また、上記各実施形態１−３の第１熱交換器２０、１２０、２２０及び第２熱交換器３０、２３０において、空気流れ方向に２つの冷媒流路が形成されている場合について例示しているが、３つ以上の冷媒流路が形成されていてもよい。さらに、第１熱交換器２０、１２０、２２０及び第２熱交換器３０、２３０は、幅方向（矢印Ｘ方向）においては同一の方向に冷媒が流れる場合について例示しているが、幅方向（矢印Ｙ方向）においても上下異なる方向に冷媒が流れるようにヘッダが分割されていてもよい。また、上記各実施形態１−３において、壁掛け型の室内機について例示しているが、天井埋め込み型の室内機にも適用することができる。
【００３５】
さらに、上記実施形態１、２の第２熱交換器３０において、第２下部ヘッダ３２がリターンヘッダからなり、第２上部ヘッダ３３が分割ヘッダからなっている場合について例示しているが、第２上部ヘッダ３３がリターンヘッダからなり、第２下部ヘッダ３２が分割ヘッダからなっていてもよい。図８は、本発明の空気調和装置の室内機の変形例を示す断面図である。なお、図１の空気調和装置の室内機と同一の構成を有する部位には同一の符号を付してその説明を省略する。この場合であっても、第１熱交換器２０及び第２熱交換器３０とは、第２下部ヘッダ３２が第１上部ヘッダ２３もしくは第１下部ヘッダ２２に接続され、連続した冷媒流路を形成するように接続されている。また、第１熱交換器２０は実施形態２に示す中間ヘッダ１２１ｃを用いたものであってもよい。
【００３６】
図８に示す室内機１の冷房運転時において、冷媒が第２熱交換器３０内において熱交換されるにつれて乾き度は１（気相）に近づいていく。そして、冷媒が第２熱交換器３０の途中で乾いた場合、そこから露だれが発生する場合がある。このとき、上述したように第２上部ヘッダ３３側がリターンヘッダである場合、乾く箇所が風路壁２ｗの内側に位置することになる。このため、第２熱交換器３０から風路内への露だれの発生を抑制することができる。
【符号の説明】
【００３７】
１、１００、２００  空気調和装置の室内機、２  ケース、２ａ  背面ケース、２ｂ  前面ケース、２ｗ  風路壁、２ｘ  吸込口、２ｚ  吹出口、３  送風ファン、１０、１１０、２１０  熱交換器ユニット、２０、１２０、２２０  第１熱交換器、２１  第１伝熱管、２２  第１下部ヘッダ、２２ａ、２２ｂ  第１下部分割ヘッダ、２３  第１上部ヘッダ、２３ａ、２３ｂ  第１上部分割ヘッダ、２４  第１放熱フィン、３０、２３０  第２熱交換器、３１  第２伝熱管、３１ａ、３１ｂ  冷媒流路、３２  第２下部ヘッダ（リターンヘッダ）、３３  第２上部ヘッダ、３３ａ、３３ｂ  第２上部分割ヘッダ、３４  第２放熱フィン、１２１ａ  下部伝熱管、１２１ｂ  上部伝熱管、１２１ｃ  中間ヘッダ、２４０  接続ヘッダ、２４０ａ  切欠部。
【図１】
2016071945.tif 000003
【図２】
2016071945.tif 000004
【図３】
2016071945.tif 000005
【図４】
2016071945.tif 000006
【図５】
2016071945.tif 000007
【図６】
2016071945.tif 000008
【図７】
2016071945.tif 000009
【図８】
2016071945.tif 000010
【手続補正書】
【提出日】平成28年12月2日(2016.12.2)
【手続補正１】
【補正対象書類名】明細書
【補正対象項目名】０００６
【補正方法】変更
【補正の内容】
【０００６】
本発明の空気調和装置の室内機は、前面ケースと背面ケースとを有するケースと、ケースに収容された送風ファンと、送風ファンを囲うように設置され、冷媒と空気との熱交換を行う熱交換器ユニットとを備えた空気調和装置の室内機であって、熱交換器ユニットは、鉛直方向に延び、空気流れ方向及びケースの幅方向に複数の冷媒流路を形成する複数の伝熱管と、複数の伝熱管の両端に接続され、複数の伝熱管との間で冷媒が流通する複数のヘッダと、を備え、複数のヘッダには、空気流れ方向の複数の冷媒流路を分割して接続し、ケースの幅方向の複数の冷媒流路を並列に接続する複数の分割ヘッダと、分割ヘッダにおいて空気流れ方向の分割された冷媒流路同士を折り返して接続し、ケースの幅方向の複数の伝熱管を並列に接続するリターンヘッダとが含まれており、熱交換器ユニットは、ケースの幅方向及び空気流れ方向に配列された第１伝熱管を有し、前面ケース側に配置された第１熱交換器と、ケースの幅方向及び空気流れ方向に配列された第２伝熱管を有し、背面ケース側に配置された第２熱交換器とを備え、第１熱交換器又は第２熱交換器の少なくともいずれか一方は、リターンヘッダを有し、第１熱交換器及び第２熱交換器は、連続した冷媒流路を形成するように接続されているとともに、第１熱交換器内及び第２熱交換器内には、対向流となる複数の冷媒流路が形成されているものである。
【手続補正２】
【補正対象書類名】特許請求の範囲
【補正対象項目名】全文
【補正方法】変更
【補正の内容】
【特許請求の範囲】
【請求項１】
前面ケースと背面ケースとを有するケースと、前記ケースに収容された送風ファンと、前記送風ファンを囲うように設置され、冷媒と空気との熱交換を行う熱交換器ユニットとを備えた空気調和装置の室内機であって、
前記熱交換器ユニットは、
鉛直方向に延び、空気流れ方向及び前記ケースの幅方向に複数の冷媒流路を形成する複数の伝熱管と、
複数の前記伝熱管の両端に接続され、複数の前記伝熱管との間で冷媒が流通する複数のヘッダと、
を備え、
複数の前記ヘッダには、
空気流れ方向の複数の前記冷媒流路を分割して接続し、前記ケースの幅方向の複数の前記冷媒流路を並列に接続する複数の分割ヘッダと、
前記分割ヘッダにおいて空気流れ方向の分割された前記冷媒流路同士を折り返して接続し、前記ケースの幅方向の複数の前記伝熱管を並列に接続するリターンヘッダと
が含まれており、
前記熱交換器ユニットは、
前記ケースの幅方向及び空気流れ方向に配列された第１伝熱管を有し、前記前面ケース側に配置された第１熱交換器と、
前記ケースの幅方向及び空気流れ方向に配列された第２伝熱管を有し、前記背面ケース側に配置された第２熱交換器と
を備え、
前記第１熱交換器又は前記第２熱交換器の少なくともいずれか一方は、前記リターンヘッダを有し、
前記第１熱交換器及び前記第２熱交換器は、連続した冷媒流路を形成するように接続されているとともに、前記第１熱交換器内及び前記第２熱交換器内には、対向流となる複数の冷媒流路が形成されている空気調和装置の室内機。
【請求項２】
前記第１熱交換器は、前記第１伝熱管の下端に接続された前記分割ヘッダからなる第１下部ヘッダと、前記第１伝熱管の上端に接続された前記分割ヘッダからなる第１上部ヘッダとを有し、
前記第２熱交換器は、前記第２伝熱管の下端に接続された前記リターンヘッダからなる第２下部ヘッダと、前記第２伝熱管の上端において前記第１上部ヘッダに接続された前記分割ヘッダからなる第２上部ヘッダとを有し、
前記第１熱交換器内及び前記第２熱交換器内には、前記第１上部ヘッダから前記第２上部ヘッダへ冷媒が流入する流路と、前記第２上部ヘッダから前記第１上部ヘッダへ冷媒が流入する流路とが形成されている請求項１に記載の空気調和装置の室内機。
【請求項３】
前記第１熱交換器の前記第１上部ヘッダと前記第２熱交換器の前記第２上部ヘッダとは、一体的に形成された接続ヘッダからなる請求項２に記載の空気調和装置の室内機。
【請求項４】
前記第１熱交換器は、前記第１伝熱管の下端に接続された前記分割ヘッダからなる第１下部ヘッダと、前記第１伝熱管の上端に接続された前記分割ヘッダからなる第１上部ヘッダとを有し、
前記第２熱交換器は、前記第２伝熱管の下端において前記第１下部ヘッダもしくは前記第１上部ヘッダのいずれか一方に接続された前記分割ヘッダからなる第２下部ヘッダと、前記第２伝熱管の上端に接続された前記リターンヘッダからなる第２上部ヘッダとを有し、
前記第１熱交換器内及び前記第２熱交換器内には、前記第１下部ヘッダもしくは前記第１上部ヘッダのいずれか一方から前記第２上部ヘッダへ冷媒が流入する流路と、前記第２熱交換器から前記第１下部ヘッダもしくは前記第１上部ヘッダのいずれか一方へ冷媒が流入する流路とが形成されている請求項１に記載の空気調和装置の室内機。
【請求項５】
前記第１伝熱管は、前記第１下部ヘッダに接続されており直線状に形成された下部伝熱管と、前記第１上部ヘッダに接続されており直線状に形成された上部伝熱管とを有し、
前記第１熱交換器は、前記下部伝熱管と前記上部伝熱管を接続する中間ヘッダを備え、
前記下部伝熱管と前記上部伝熱管とは、前記中間ヘッダにおいて前記前面ケース側に凸形状になるように屈曲して接続されている請求項２〜４のいずれか１項に記載の空気調和装置の室内機。
【請求項６】
複数の前記第１伝熱管は、前記前面ケース側に凸形状になるように曲線状に形成されている請求項１〜５のいずれか１項に記載の空気調和装置の室内機。
【手続補正３】
【補正対象書類名】図面
【補正対象項目名】図２
【補正方法】変更
【補正の内容】
【図２】
2016071945.tif 000011
【手続補正４】
【補正対象書類名】図面
【補正対象項目名】図５
【補正方法】変更
【補正の内容】
【図５】
2016071945.tif 000012
【手続補正５】
【補正対象書類名】図面
【補正対象項目名】図６
【補正方法】変更
【補正の内容】
【図６】
2016071945.tif 000013
【手続補正６】
【補正対象書類名】図面
【補正対象項目名】図７
【補正方法】変更
【補正の内容】
【図７】
2016071945.tif 000014
【手続補正７】
【補正対象書類名】図面
【補正対象項目名】図８
【補正方法】変更
【補正の内容】
【図８】
2016071945.tif 000015
【国際調査報告】
2016071945.tif 000016
2016071945.tif 000017
2016071945.tif 000018
2016071945.tif 000019